(57)【要約】【課題】プロジェクターからの画像の投写を所望のタイミングで開始させることが可能な画像供給装置、画像投写システム、画像供給装置の制御方法、及びプログラムを提供する。【解決手段】コンピューターにプロジェクターが接続されると、コンピューターのＣＰＵは、プロジェクターの記憶部から画像供給プログラムを読み出し、このプログラムに従った動作を開始する。まず、ＣＰＵは、プロジェクターの投写範囲を指定するためのフレーム画像Ｇｆと、投写開始ボタンＧｓとを液晶ディスプレーの画面上に表示させる。ユーザーは、フレーム画像Ｇｆに対してドラッグ操作を行うことによって、フレーム画像Ｇｆ、即ち投写範囲の位置又はサイズを変更することが可能であり、投写開始ボタンＧｓをクリック操作することによって、フレーム画像Ｇｆで指定された範囲の画像をプロジェクターから投写させることができる。【選択図】図６
2011059292.tif 000002
【特許請求の範囲】
【請求項１】
表示装置に画像を表示するとともに、前記画像の少なくとも一部に対応する画像情報を外部のプロジェクターに供給して投写させる画像供給装置であって、
前記画像の投写開始を指示する操作を入力するための第１の操作部を前記表示装置に表示させる表示制御部と、
前記プロジェクターと前記画像供給装置とが接続されている状態で、前記第１の操作部に対する操作を受け付けた場合に、前記プロジェクターに前記画像の投写を開始させる投写制御部と、
を備えたことを特徴とする画像供給装置。
【請求項２】
請求項１に記載の画像供給装置であって、
前記表示装置が表示する前記画像内の一部の範囲を指定させる範囲指定部をさらに備え、
前記投写制御部は、前記範囲指定部によって指定された前記範囲の画像を前記プロジェクターに投写させることを特徴とする画像供給装置。
【請求項３】
請求項２に記載の画像供給装置であって、
前記表示制御部は、前記プロジェクターに前記画像を投写させている間、前記画像の投写停止を指示するための第２の操作部を前記表示装置に表示させ、
前記投写制御部は、前記第２の操作部に対する操作を受け付けた場合には、前記プロジェクターに前記画像の投写を停止させることを特徴とする画像供給装置。
【請求項４】
請求項１〜３のいずれか１項に記載の画像供給装置であって、
無線通信によって前記プロジェクターと接続されることを特徴とする画像供給装置。
【請求項５】
表示装置に画像を表示するとともに、前記画像の少なくとも一部に対応する画像情報を外部のプロジェクターに供給して投写させる画像供給装置と、前記画像供給装置から供給される前記画像を投写する前記プロジェクターとを備えた画像投写システムであって、
前記画像供給装置は、
前記画像の投写開始を指示する操作を入力するための第１の操作部を前記表示装置に表示させる表示制御部と、
前記プロジェクターと前記画像供給装置とが接続されている状態で、前記第１の操作部に対する操作を受け付けた場合に、前記プロジェクターに前記画像の投写を開始させる投写制御部と、
を備えたことを特徴とする画像投写システム。
【請求項６】
請求項５に記載の画像投写システムであって、
前記画像供給装置は、前記表示装置が表示する前記画像内の一部の範囲を指定させる範囲指定部をさらに備え、
前記投写制御部は、前記範囲指定部によって指定された前記範囲の画像を前記プロジェクターに投写させることを特徴とする画像投写システム。
【請求項７】
表示装置に画像を表示するとともに、前記画像の少なくとも一部に対応する画像情報を外部のプロジェクターに供給して投写させる画像供給装置の制御方法であって、
前記画像の投写開始を指示する操作を入力するための第１の操作部を前記表示装置に表示させる表示ステップと、
前記プロジェクターと前記画像供給装置とが接続されている状態で、前記第１の操作部に対する操作を受け付けた場合に、前記プロジェクターに前記画像の投写を開始させる投写開始ステップと、
を備えたことを特徴とする画像供給装置の制御方法。
【請求項８】
請求項７に記載の画像供給装置の制御方法であって、
前記表示装置が表示する前記画像内の一部の範囲を指定させる範囲指定ステップをさらに備え、
前記投写開始ステップでは、前記範囲指定ステップで指定された前記範囲の画像を前記プロジェクターに投写させることを特徴とする画像供給装置の制御方法。
【請求項９】
表示装置に画像を表示するとともに、前記画像の少なくとも一部に対応する画像情報を外部のプロジェクターに供給して投写させるコンピューターに、
前記画像の投写開始を指示する操作を入力するための第１の操作部を前記表示装置に表示させる表示ステップと、
前記プロジェクターと前記コンピューターとが接続されている状態で、前記第１の操作部に対する操作を受け付けた場合に、前記プロジェクターに前記画像の投写を開始させる投写開始ステップと、
を実行させることを特徴とするプログラム。
【請求項１０】
請求項９に記載のプログラムであって、
前記表示装置が表示する前記画像内の一部の範囲を指定させる範囲指定ステップをさらに備え、
前記投写開始ステップでは、前記範囲指定ステップで指定された前記範囲の画像を前記プロジェクターに投写させることを特徴とするプログラム。
【発明の詳細な説明】
【技術分野】
【０００１】
本発明は、プロジェクターに画像を供給して投写させる画像供給装置、画像投写システム、画像供給装置の制御方法、及びプログラムに関する。
【背景技術】
【０００２】
画像供給装置（例えば、パーソナルコンピューター）から供給される画像をプロジェクターで拡大して投写する画像表示システムが知られており、プレゼンテーションを行う場合等に利用されている。このような画像表示システムでは、画像供給装置とプロジェクターの接続が完了すると、画像供給装置から画像の供給が開始するようになっており、これに伴って、プロジェクターからの画像の投写が開始される（例えば、特許文献１参照）。
【先行技術文献】
【特許文献】
【０００３】
【特許文献１】特開２００７−２６４０７９号公報
【発明の概要】
【発明が解決しようとする課題】
【０００４】
しかしながら、プレゼンテーションを行う場合等において、発表の準備が整う前に画像供給装置とプロジェクターとの接続を行ってしまうと、準備をしている様子や機密の資料等、聴衆に見られたくない画像が投写されてしまう恐れがある。このため、画像供給装置とプロジェクターとを接続している状態であっても、所望のタイミングで画像の投写を開始できるプロジェクターが望まれている。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像供給装置は、表示装置に画像を表示するとともに、前記画像の少なくとも一部に対応する画像情報を外部のプロジェクターに供給して投写させる画像供給装置であって、前記画像の投写開始を指示する操作を入力するための第１の操作部を前記表示装置に表示させる表示制御部と、前記プロジェクターと前記画像供給装置とが接続されている状態で、前記第１の操作部に対する操作を受け付けた場合に、前記プロジェクターに前記画像の投写を開始させる投写制御部と、を備えたことを特徴とする。
【０００７】
この画像供給装置によれば、投写制御部は、表示装置に表示される第１の操作部が操作された場合に、プロジェクターに画像の投写を開始させるため、プロジェクターとの接続を行っただけで画像が投写されてしまうことが抑制される。つまり、プロジェクターを接続している状態において、画像の投写を所望のタイミングで開始させることができるため、利便性が向上する。
【０００８】
［適用例２］上記適用例に係る画像供給装置において、前記表示装置が表示する前記画像内の一部の範囲を指定させる範囲指定部をさらに備え、前記投写制御部は、前記範囲指定部によって指定された前記範囲の画像を前記プロジェクターに投写させることが望ましい。
【０００９】
この画像供給装置によれば、範囲指定部によって指定された範囲の画像がプロジェクターから投写されるため、指定された範囲の外側については、プロジェクターから投写されることはない。つまり、表示装置に表示されている画像の中に、聴衆に見られたくない部位が含まれている場合であっても、その部位を投写対象から外すことができるため、利便性がさらに向上する。
【００１０】
［適用例３］上記適用例に係る画像供給装置において、前記表示制御部は、前記プロジェクターに前記画像を投写させている間、前記画像の投写停止を指示するための第２の操作部を前記表示装置に表示させ、前記投写制御部は、前記第２の操作部に対する操作を受け付けた場合には、前記プロジェクターに前記画像の投写を停止させることが望ましい。
【００１１】
この画像供給装置によれば、プロジェクターが画像の投写を開始すると、第２の操作部が表示装置に表示され、この第２の操作部を操作することによって、画像の投写を停止させることができるため、利便性がさらに向上する。
【００１２】
［適用例４］上記適用例に係る画像供給装置において、無線通信によって前記プロジェクターと接続されることが望ましい。
【００１３】
この画像供給装置によれば、プロジェクターと無線通信で接続されるため、ケーブルを用いた接続作業が不要となり、利便性がさらに向上する。
【００１４】
［適用例５］本適用例に係る画像投写システムは、表示装置に画像を表示するとともに、前記画像の少なくとも一部に対応する画像情報を外部のプロジェクターに供給して投写させる画像供給装置と、前記画像供給装置から供給される前記画像を投写する前記プロジェクターとを備えた画像投写システムであって、前記画像供給装置は、前記画像の投写開始を指示する操作を入力するための第１の操作部を前記表示装置に表示させる表示制御部と、前記プロジェクターと前記画像供給装置とが接続されている状態で、前記第１の操作部に対する操作を受け付けた場合に、前記プロジェクターに前記画像の投写を開始させる投写制御部と、を備えたことを特徴とする。
【００１５】
この画像投写システムによれば、画像供給装置の投写制御部は、表示装置に表示される第１の操作部が操作された場合に、プロジェクターに画像の投写を開始させるため、プロジェクターとの接続を行っただけで画像が投写されてしまうことが抑制される。つまり、プロジェクターを接続している状態において、画像の投写を所望のタイミングで開始させることができるため、利便性が向上する。
【００１６】
［適用例６］上記適用例に係る画像投写システムにおいて、前記画像供給装置は、前記表示装置が表示する前記画像内の一部の範囲を指定させる範囲指定部をさらに備え、前記投写制御部は、前記範囲指定部によって指定された前記範囲の画像を前記プロジェクターに投写させることが望ましい。
【００１７】
この画像投写システムによれば、範囲指定部によって指定された範囲の画像がプロジェクターから投写されるため、指定された範囲の外側については、プロジェクターから投写されることはない。つまり、表示装置に表示されている画像の中に、聴衆に見られたくない部位が含まれている場合であっても、その部位を投写対象から外すことができるため、利便性がさらに向上する。
【００１８】
［適用例７］本適用例に係る画像供給装置の制御方法は、表示装置に画像を表示するとともに、前記画像の少なくとも一部に対応する画像情報を外部のプロジェクターに供給して投写させる画像供給装置の制御方法であって、前記画像の投写開始を指示する操作を入力するための第１の操作部を前記表示装置に表示させる表示ステップと、前記プロジェクターと前記画像供給装置とが接続されている状態で、前記第１の操作部に対する操作を受け付けた場合に、前記プロジェクターに前記画像の投写を開始させる投写開始ステップと、を備えたことを特徴とする。
【００１９】
この画像供給装置の制御方法によれば、表示装置に表示される第１の操作部が操作された場合に、プロジェクターに画像の投写を開始させるため、プロジェクターとの接続を行っただけで画像が投写されてしまうことが抑制される。つまり、プロジェクターを接続している状態において、画像の投写を所望のタイミングで開始させることができるため、利便性が向上する。
【００２０】
［適用例８］上記適用例に係る画像供給装置の制御方法において、前記表示装置が表示する前記画像内の一部の範囲を指定させる範囲指定ステップをさらに備え、前記投写開始ステップでは、前記範囲指定ステップで指定された前記範囲の画像を前記プロジェクターに投写させることが望ましい。
【００２１】
この画像供給装置の制御方法によれば、範囲指定ステップで指定された範囲の画像がプロジェクターから投写されるため、指定された範囲の外側については、プロジェクターから投写されることはない。つまり、表示装置に表示されている画像の中に、聴衆に見られたくない部位が含まれている場合であっても、その部位を投写対象から外すことができるため、利便性がさらに向上する。
【００２２】
［適用例９］本適用例に係るプログラムは、表示装置に画像を表示するとともに、前記画像の少なくとも一部に対応する画像情報を外部のプロジェクターに供給して投写させるコンピューターに、前記画像の投写開始を指示する操作を入力するための第１の操作部を前記表示装置に表示させる表示ステップと、前記プロジェクターと前記コンピューターとが接続されている状態で、前記第１の操作部に対する操作を受け付けた場合に、前記プロジェクターに前記画像の投写を開始させる投写開始ステップと、を実行させることを特徴とする。
【００２３】
このプログラムによれば、表示装置に表示される第１の操作部が操作された場合に、プロジェクターに画像の投写を開始させるため、プロジェクターとの接続を行っただけで画像が投写されてしまうことが抑制される。つまり、プロジェクターを接続している状態において、画像の投写を所望のタイミングで開始させることができるため、利便性が向上する。
【００２４】
［適用例１０］上記適用例に係るプログラムにおいて、前記表示装置が表示する前記画像内の一部の範囲を指定させる範囲指定ステップをさらに備え、前記投写開始ステップでは、前記範囲指定ステップで指定された前記範囲の画像を前記プロジェクターに投写させることが望ましい。
【００２５】
このプログラムによれば、範囲指定ステップで指定された範囲の画像がプロジェクターから投写されるため、指定された範囲の外側については、プロジェクターから投写されることはない。つまり、表示装置に表示されている画像の中に、聴衆に見られたくない部位が含まれている場合であっても、その部位を投写対象から外すことができるため、利便性がさらに向上する。
【００２６】
また、上記形態及び上記適用例は、上記プログラムを上記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、プロジェクターの内部記憶装置（ＲＡＭやＲＯＭ等の半導体メモリー）等、前記コンピューターが読み取り可能な種々の媒体を利用することができる。
【図面の簡単な説明】
【００２７】
【図１】第１実施形態の画像投写システムを示す斜視図。
【図２】第１実施形態のコンピューターの概略構成を示すブロック図。
【図３】第１実施形態のプロジェクターの概略構成を示すブロック図。
【図４】画像供給プログラムに基づくコンピューターの動作を説明するためのフローチャート。
【図５】画像供給プログラムに基づくコンピューターの動作を説明するための説明図であり、液晶ディスプレーの画面を示す図。
【図６】画像供給プログラムに基づくコンピューターの動作を説明するための説明図であり、液晶ディスプレーの画面を示す図。
【図７】画像供給プログラムに基づくコンピューターの動作を説明するための説明図であり、液晶ディスプレーの画面を示す図。
【図８】画像供給プログラムに基づくコンピューターの動作を説明するための説明図であり、液晶ディスプレーの画面を示す図。
【図９】画像供給プログラムに基づくコンピューターの動作を説明するための説明図であり、プロジェクターからスクリーンに投写される画像を示す図。
【図１０】第２実施形態の画像投写システムを示す斜視図。
【図１１】第２実施形態のコンピューターの概略構成を示すブロック図。
【図１２】第２実施形態のプロジェクターの概略構成を示すブロック図。
【図１３】無線ＬＡＮ接続ツールに基づくコンピューターの動作を説明するための説明図であり、液晶ディスプレーに表示される画像を示す図。
【図１４】無線ＬＡＮ接続ツールに基づくコンピューターの動作を説明するための説明図であり、液晶ディスプレーに表示される画像を示す図。
【図１５】変形例に係るコンピューターの動作を説明するための説明図であり、液晶ディスプレーの画面を示す図。
【発明を実施するための形態】
【００２８】
（第１実施形態）
以下、第１実施形態の画像投写システムについて、図面を参照して説明する。
図１は、本実施形態の画像投写システムを示す斜視図である。
図１に示すように、画像投写システム１００は、画像供給装置としてのコンピューター１と、その外部に備わるプロジェクター２とを備えている。コンピューター１は、例えば、ノート型のパーソナルコンピューターであり、表示装置である液晶ディスプレー１６、入力装置であるキーボード２０、及び入力装置（ポインティングデバイス）であるタッチパッド２１を一体的に備えて構成されている。また、コンピューター１には、入力装置（ポインティングデバイス）である外付けのマウス３０も接続されている。プロジェクター２は、コンピューター１から画像情報の供給を受けて、この画像情報に応じた画像をスクリーンＳＣや壁面等の被投写物（以降、単にスクリーンＳＣとも呼ぶ。）に投写する。本実施形態では、コンピューター１とプロジェクター２とは、ＵＳＢ（Universal Serial Bus）ケーブル３で接続されており、このＵＳＢケーブル３を介して、コンピューター１からプロジェクター２に画像情報等が供給される。
【００２９】
図２は、コンピューター１の概略構成を示すブロック図である。
図２に示すように、コンピューター１は、ＣＰＵ（Central Processing Unit）１１、２つのブリッジ回路（ノースブリッジ１２、及びサウスブリッジ１３）、ＲＡＭ（Random Access Memory）１４、ビデオコントローラー１５、液晶ディスプレー１６、ハードディスクドライブ１７、光ディスクドライブ１８、ＢＩＯＳ（Basic Input/Output System）が書き込まれたＢＩＯＳ−ＲＯＭ（Read Only Memory）１９、キーボード２０、タッチパッド２１等を備えている。
【００３０】
ＣＰＵ１１は、ＢＩＯＳ−ＲＯＭ１９に書き込まれたＢＩＯＳ、或いはＲＡＭ１４に読み出された各種プログラムに従って動作することにより、コンピューター１の動作を統括制御する。
【００３１】
ノースブリッジ１２は、ＣＰＵ１１とサウスブリッジ１３との間のブリッジ処理、ＲＡＭ１４の制御、及びビデオコントローラー１５の制御等を行う。ＲＡＭ１４は、ＤＲＡＭ（Dynamic RAM）で構成され、ハードディスクドライブ１７等から読み出されたＯＳ（Operating System）やアプリケーションプログラム等を記憶する。また、ＲＡＭ１４は、プログラム実行中における各種データの一時記憶等に用いられる。
【００３２】
ビデオコントローラー１５は、液晶ディスプレー１６に対する画像表示を制御する。ビデオコントローラー１５は、ＶＲＡＭ（Video RAM）１５ａを備えており、ＣＰＵ１１の指示に基づいて、ＶＲＡＭ１５ａ上にフレーム（画面）単位で順次画像情報を生成し、生成した画像情報を液晶ディスプレー１６に出力して、液晶ディスプレー１６の画面１６ａ（図１参照）上に画像情報に基づく画像を表示させる。
【００３３】
液晶ディスプレー１６は、一対の透明基板間に液晶が封入された透過型の液晶パネルと、液晶パネルの背面側から白色光を照射するバックライトユニットと、液晶パネルを駆動する駆動回路（いずれも図示せず）等を備えている。液晶パネルの内面には、マトリクス状に配列された多数の画素が形成されている。各画素は、赤色（Ｒ）、緑色（Ｇ）、青色（Ｂ）の各色光をそれぞれ透過可能な３つのサブ画素を含んでおり、液晶に対してサブ画素毎に駆動電圧を印加可能になっている。駆動回路が、ビデオコントローラー１５から入力される画像情報に応じた駆動電圧を各サブ画素に印加すると、各サブ画素は、画像情報に応じた光透過率に設定される。このため、バックライトユニットから照射された光は、この液晶パネルを透過することによって変調され、画像情報に応じた画像が液晶パネルの前面側、即ち、液晶ディスプレー１６の画面１６ａ（図１参照）上に表示される。
【００３４】
サウスブリッジ１３には、各種インターフェイス回路が内蔵されており、ハードディスクドライブ１７、光ディスクドライブ１８、ＢＩＯＳ−ＲＯＭ１９、キーボード２０、タッチパッド２１等が接続されている。
【００３５】
ハードディスクドライブ１７は、インストールされたＯＳやプリケーションプログラム、各種データ等を記憶する。光ディスクドライブ１８は、ＣＤ（Compact Disc）、ＤＶＤ（Digital Versatile Disc）、ブルーレイディスク等の光ディスクからのデータの読み出しや、光ディスクへのデータの書き込みを行う。
【００３６】
ＢＩＯＳ−ＲＯＭ１９には、ＢＩＯＳが格納されている。ＢＩＯＳは、コンピューター１の起動時にＣＰＵ１１によって読み出されて各種初期化処理やＯＳの起動を行うプログラムとともに、ビデオコントローラー１５、ハードディスクドライブ１７、キーボード２０等の入出力デバイスを制御するプログラムを含んでおり、これら入出力デバイスに対する基本的な入出力制御をＯＳやアプリケーションプログラムに提供する。ＯＳやアプリケーションプログラムを実行するＣＰＵ１１は、直接、或いはＢＩＯＳを介してこれらの入出力デバイスとの入出力を行うことができる。
【００３７】
キーボード２０は、キー操作によって文字や制御コード等の入力を受け付ける入力装置であり、タッチパッド２１は、液晶ディスプレー１６等に表示されるポインターＰＴ（図１参照）の移動操作やクリック操作、ドラッグ操作等の入力操作を受け付ける入力装置（ポインティングデバイス）である。キーボード２０及びタッチパッド２１は、ユーザーによってなされた操作に基づく操作信号をサウスブリッジ１３に出力し、サウスブリッジ１３は、この操作信号をノースブリッジ１２を介してＣＰＵ１１に伝達する。
【００３８】
また、サウスブリッジ１３は、図示しないＵＳＢインターフェイスを備えており、複数のＵＳＢ端子（ＵＳＢ  ＴｙｐｅＡ端子）１３ａを介して外部の入出力装置とのデータ通信が可能になっている。本実施形態のＵＳＢ端子１３ａには、上述したように、外付けのマウス３０と、画像情報の供給先であるプロジェクター２が接続されている。
【００３９】
次に、プロジェクター２の概略構成について説明する。
図３は、プロジェクター２の概略構成を示すブロック図である。
図３に示すように、プロジェクター２は、画像投写部４０、制御部５０、入力操作部５１、ＵＳＢ通信部５２、画像処理部５３、記憶部５４等で構成されている。
【００４０】
画像投写部４０は、光源４１、光変調装置としての３つの液晶ライトバルブ４２Ｒ，４２Ｇ，４２Ｂ、投写光学系としての投写レンズ４３、ライトバルブ駆動部４４等で構成されている。画像投写部４０は、光源４１から射出された光を、液晶ライトバルブ４２Ｒ，４２Ｇ，４２Ｂで変調して画像（画像光）を形成し、この画像を投写レンズ４３から投写してスクリーンＳＣに表示する。
【００４１】
光源４１は、超高圧水銀ランプやメタルハライドランプ等からなる放電型の光源ランプ４１ａと、光源ランプ４１ａが放射した光を液晶ライトバルブ４２Ｒ，４２Ｇ，４２Ｂ側に反射するリフレクター４１ｂとを含んで構成されている。光源４１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ４２Ｒ，４２Ｇ，４２Ｂに入射する。
【００４２】
液晶ライトバルブ４２Ｒ，４２Ｇ，４２Ｂは、それぞれ一対の透明基板間に液晶が封入された透過型の液晶パネル（図示せず）等によって構成される。各液晶パネルには、マトリクス状に配列された複数の画素が形成されており、液晶に対して画素毎に駆動電圧を印加可能になっている。
【００４３】
ライトバルブ駆動部４４が、入力される画像情報に応じた駆動電圧を各画素に印加すると、各画素は、画像情報に応じた光透過率に設定される。このため、光源４１から射出された光は、この液晶ライトバルブ４２Ｒ，４２Ｇ，４２Ｂを透過することによって変調され、画像情報に応じた画像光が色光毎に形成される。形成された各色の画像光は、図示しない色合成光学系によって画素毎に合成されてカラー画像を表す画像光となった後、投写レンズ４３によってスクリーンＳＣに拡大投写される。
【００４４】
制御部５０は、ＣＰＵや、各種データ等の一時記憶に用いられるＲＡＭ、不揮発性のメモリーからなるＲＯＭ等を備え、ＣＰＵがＲＯＭに記憶されている制御プログラムに従って動作することによりプロジェクター２の動作を統括制御する。
【００４５】
入力操作部５１は、ユーザーがプロジェクター２に対して各種指示を行うための複数の操作キーを備えている。入力操作部５１が備える操作キーとしては、電源のオンとオフとを切り替えるための「電源キー」、各種設定を行うための設定メニューを表示させる「メニューキー」等がある。ユーザーが入力操作部５１の各種操作キーを操作すると、入力操作部５１は、ユーザーの操作内容に応じた操作信号を制御部５０に出力する。なお、入力操作部５１として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部５０に伝達する。
【００４６】
ＵＳＢ通信部５２は、ＵＳＢ端子（ＵＳＢ  ＴｙｐｅＢ端子）５２ａに接続されたＵＳＢケーブル３（図１参照）を介して外部のホスト機器（本実施形態では、コンピューター１）に接続され、制御部５０の指示に基づいて、コンピューター１との間でＵＳＢ規格に準じたデータ通信を行う。また、ＵＳＢ通信部５２にコンピューター１から画像情報が入力された場合には、ＵＳＢ通信部５２は、入力された画像情報を画像処理部５３に出力する。
【００４７】
画像処理部５３は、ＵＳＢ通信部５２から入力される画像情報を、液晶ライトバルブ４２Ｒ，４２Ｇ，４２Ｂの各画素の階調を表す画像情報、即ち各画素に印加する駆動電圧を規定するための画像情報に変換する。さらに、制御部５０の指示に基づいて、変換した画像情報に対して、明るさ、コントラスト、シャープネス、色合い等の画質を調整するための処理等を行う。画像処理部５３で画質調整等がなされた画像情報は、ライトバルブ駆動部４４に出力される。また、画像処理部５３は、ＵＳＢ通信部５２から画像情報が入力されない場合には、所定の基準画像（例えば、黒色無地の画像等）を投写するための画像情報を生成して、ライトバルブ駆動部４４に出力する。
【００４８】
ライトバルブ駆動部４４が、画像処理部５３から入力される画像情報に従って液晶ライトバルブ４２Ｒ，４２Ｇ，４２Ｂを駆動すると、液晶ライトバルブ４２Ｒ，４２Ｇ，４２Ｂは、画像情報に応じた画像（画像光）を形成し、この画像が投写レンズ４３からスクリーンＳＣに投写される。
【００４９】
記憶部５４は、不揮発性のメモリーにより構成されており、ＵＳＢ通信部５２に接続されている。記憶部５４には、コンピューター１からプロジェクター２に画像情報を供給するためのプログラム（画像供給プログラムＰＰ）等が記憶されている。この画像供給プログラムＰＰは、コンピューター１とプロジェクター２とが接続された際に、コンピューター１に読み出されて実行されるアプリケーションプログラムである。
【００５０】
次に、画像投写システム１００の動作について説明する。
コンピューター１に電源が投入されると、ＣＰＵ１１は、ＢＩＯＳ−ＲＯＭ１９に記憶されているＢＩＯＳに従ってブート処理を行い、ハードディスクドライブ１７に記憶されているＯＳを起動し（ＲＡＭ１４に読み込み）、ＯＳに従った動作を開始する。そしてＣＰＵ１１は、ビデオコントローラー１５に指示をして液晶ディスプレー１６の画面１６ａに所定の画像（初期画面）を表示させる。
【００５１】
本実施形態のコンピューター１に採用されているＯＳは、ＧＵＩ（Graphical User Interface）を備えたものであり、ユーザーは、キーボード２０の他に、タッチパッド２１やマウス３０等のポインティングデバイスを操作することによってコンピューター１に各種指示を与えることが可能になっている。
【００５２】
ＯＳを起動する過程で、ＣＰＵ１１は、ビデオコントローラー１５に指示をして、液晶ディスプレー１６に表示されている画像上にポインターＰＴを重畳表示させる。ＯＳには、タッチパッド２１やマウス３０と通信を行うためのデバイスドライバーが含まれており、ＣＰＵ１１は、このデバイスドライバーによってタッチパッド２１やマウス３０になされた移動操作、クリック操作、ドラッグ操作等を検出することができる。そして、タッチパッド２１やマウス３０に対して移動操作がなされると、ＣＰＵ１１は、ポインターＰＴを重畳させる位置を、ユーザーの移動操作に応じて変更させることにより、ポインターＰＴを移動させる。
【００５３】
ＯＳの起動が完了すると、コンピューター１は、ユーザーの各種操作を待機する。そして、ユーザーは、キーボード２０、タッチパッド２１、及びマウス３０等を操作して所望のアプリケーションプログラムの起動を指示したり、ＵＳＢ端子１３ａにプロジェクター２等の周辺機器を接続したりすることができる。
【００５４】
ここで、コンピューター１のＵＳＢ端子１３ａに、ＵＳＢケーブル３を介してプロジェクター２が接続されると、コンピューター１のＣＰＵ１１は、この接続を検出し、プロジェクター２に対して構成情報（ディスクリプター情報）を要求する。図示は省略しているが、プロジェクター２のＵＳＢ通信部５２は、構成情報が記憶されたメモリーを有しており、この構成情報には、プロジェクター２のデバイスクラスがマスストレージクラスであること、即ちプロジェクター２が仮想的に記憶装置として動作すること等の情報が含まれている。そして、プロジェクター２は、コンピューター１の要求に応じて、この構成情報をコンピューター１に出力する。
【００５５】
コンピューター１のＣＰＵ１１は、入力される構成情報に基づいて、プロジェクター２のデバイスクラスがマスストレージクラスであることを認識し、ＯＳに標準的に備わっている汎用のデバイスドライバーであるマスストレージドライバーを起動する。これにより、コンピューター１とプロジェクター２とのＵＳＢによる接続が確立し、これ以降、コンピューター１は、このマスストレージドライバーを利用することによって、プロジェクター２に対して画像情報を供給することができる。
【００５６】
コンピューター１のＣＰＵ１１は、プロジェクター２を記憶装置として認識すると、プロジェクター２から自動実行設定ファイル（図示せず）を読み出す。自動実行設定ファイルは、コンピューター１に記憶装置が接続された際に、コンピューター１に自動的に（ユーザーの操作に依らずに）実行させるプログラムを指定するためのファイルであり、本実施形態では、自動実行するプログラムとして画像供給プログラムＰＰを指定した自動実行設定ファイルがプロジェクター２の記憶部５４に記憶されている。そして、コンピューター１のＣＰＵ１１は、自動実行設定ファイルに従って記憶部５４から画像供給プログラムＰＰをＲＡＭ１４に読み出し、このプログラムに従った動作を開始する。
【００５７】
図４は、画像供給プログラムＰＰに基づくコンピューター１の動作を説明するためのフローチャートである。また、図５〜図９は、画像供給プログラムＰＰに基づくコンピューター１の動作を説明するための説明図であり、図５〜図８は、液晶ディスプレー１６の画面１６ａを示す図、図９は、プロジェクター２からスクリーンＳＣに投写される画像を示す図である。画像供給プログラムＰＰが起動すると、コンピューター１のＣＰＵ１１は、この画像供給プログラムＰＰに従って、図４に示すフローのように動作する。なお、図５は、コンピューター１とプロジェクター２とが接続される直前、即ち画像供給プログラムＰＰが起動する直前の液晶ディスプレー１６の画面１６ａを示す図である。本図において、画像Ｇｐは、ユーザーがプロジェクター２から投写させようとしている画像であり、コンピューター１とプロジェクター２とを接続する前に、所定のアプリケーションプログラムを起動させてファイルを開く操作等を行うことにより、液晶ディスプレー１６の画面１６ａ上に表示させた画像である。
【００５８】
図４に示すように、ステップＳ１０１では、ＣＰＵ１１は、ビデオコントローラー１５に指示をして、液晶ディスプレー１６の画面１６ａ上に枠状の画像（フレーム画像Ｇｆ）を表示させる（図６参照）。このフレーム画像Ｇｆは、プロジェクター２に投写させる範囲（投写範囲）を指定するためのウィンドウであり、フレーム画像Ｇｆの内側は、背景（裏側）の画像が透過して視認できるようになっている。つまり、このフレーム画像Ｇｆの内側に表示されている画像が、後にプロジェクター２から投写されることになる。フレーム画像Ｇｆの上部には、タイトルバーＴＢが設けられ、タイトルバーＴＢの端部には、画像供給プログラムＰＰを終了させるための終了ボタンＢＸ１が設けられている。ユーザーは、タッチパッド２１やマウス３０等のポインティングデバイスでドラッグ操作を行うことにより、フレーム画像Ｇｆの位置やサイズを適宜変更することができる。具体的には、ポインターＰＴをタイトルバーＴＢ上に位置させてドラック操作を行えば、フレーム画像Ｇｆを移動させることが可能となり、フレーム画像Ｇｆの周縁部、即ち枠上でドラッグ操作を行えば、フレーム画像Ｇｆのサイズを変更することが可能となる。
【００５９】
ステップＳ１０２では、ＣＰＵ１１は、ビデオコントローラー１５に指示をして、液晶ディスプレー１６の画面１６ａ上にボタン状の画像（投写開始ボタンＧｓ）を表示させる（図６参照）。投写開始ボタンＧｓは、プロジェクター２から画像の投写を開始させるためのものであり、投写開始ボタンＧｓ上には、「投写開始」の文字が記されている。
【００６０】
ステップＳ１０３では、ＣＰＵ１１は、フレーム画像Ｇｆに対してドラッグ操作がなされたか否かを判断する。そして、ドラッグ操作がなされた場合にはステップＳ１０４に移行し、ドラッグ操作がなされていない場合にはステップＳ１０５に移行する。
【００６１】
フレーム画像Ｇｆに対してドラッグ操作がなされてステップＳ１０４に移行した場合には、ＣＰＵ１１は、ユーザーになされた操作に基づいて、ビデオコントローラー１５にフレーム画像Ｇｆの位置又はサイズを変更させてステップＳ１０３に戻る。そして、ユーザーは、ドラッグ操作を適宜繰り返すことにより、フレーム画像Ｇｆが所望の投写範囲を囲むように、フレーム画像Ｇｆの位置やサイズを調整することができる（例えば、図７参照）。
【００６２】
ステップＳ１０５では、ＣＰＵ１１は、投写開始ボタンＧｓがクリック操作されたか否か、即ち、投写開始ボタンＧｓ上にポインターＰＴを位置させた状態でクリック操作がなされたか否かを判断する。そして、投写開始ボタンＧｓがクリック操作された場合にはステップＳ１０８に移行し、投写開始ボタンＧｓがクリック操作されていない場合にはステップＳ１０６に移行する。
【００６３】
投写開始ボタンＧｓがクリック操作されずにステップＳ１０６に移行した場合には、ＣＰＵ１１は、終了ボタンＢＸ１がクリック操作されたか否かを判断する。そして、終了ボタンＢＸ１がクリック操作された場合にはステップＳ１０７に移行し、終了ボタンＢＸ１がクリック操作されていない場合には、ステップＳ１０３に戻る。
【００６４】
ステップＳ１０５において投写開始ボタンＧｓのクリック操作がなされてステップＳ１０８に移行した場合には、ＣＰＵ１１は、画像情報の供給に先立ち、ビデオコントローラー１５に指示をして、投写開始ボタンＧｓの表示を終了させ、その代わりに、同じくボタン状の画像である投写停止ボタンＧｅを表示させる（図８参照）。投写停止ボタンＧｅは、プロジェクター２からの画像の投写を停止させるためのものであり、投写停止ボタンＧｅ上には、「投写停止」の文字が記されている。
【００６５】
続くステップＳ１０９では、ＣＰＵ１１は、ビデオコントローラー１５に指示をして、フレーム画像Ｇｆで囲まれている範囲の画像、即ちフレーム画像Ｇｆの枠内に表示されている画像をキャプチャーさせる。そして、ステップＳ１１０では、ＣＰＵ１１は、キャプチャーされた画像（画像情報）をパケット化して、ＵＳＢ端子１３ａからプロジェクター２に出力する。この結果、キャプチャーされた画像、即ちフレーム画像Ｇｆの枠内の画像（この例では、画像Ｇｐ）がプロジェクター２からスクリーンＳＣに投写される（図９参照）。
【００６６】
ステップＳ１１１では、ＣＰＵ１１は、投写停止ボタンＧｅがクリック操作されたか否かを判断する。そして、投写停止ボタンＧｅがクリック操作されていない場合には、ステップＳ１０９に戻り、フレーム画像Ｇｆの枠内の画像のキャプチャーと、キャプチャーした画像のプロジェクター２への出力を繰り返す。一方、投写停止ボタンＧｅがクリック操作された場合には、ステップＳ１１２に移行する。
【００６７】
投写停止ボタンＧｅがクリック操作されてステップＳ１１２に移行した場合には、ＣＰＵ１１は、ビデオコントローラー１５に指示をして、投写停止ボタンＧｅの表示を終了させ、その代わりに投写開始ボタンＧｓを表示させて、ステップＳ１０３に戻る。そして、これ以降、画像のキャプチャーと、キャプチャーした画像のプロジェクター２への出力は停止する。つまり、プロジェクター２からの画像Ｇｐの投写は停止して基準画像が投写され、ＣＰＵ１１は、フレーム画像Ｇｆに対するドラッグ操作や投写開始ボタンＧｓのクリック操作等を待機する。
【００６８】
また、ステップＳ１０６において終了ボタンＢＸ１がクリック操作されてステップＳ１０７に移行した場合には、ＣＰＵ１１は、ビデオコントローラー１５に指示をして、フレーム画像Ｇｆと投写開始ボタンＧｓの表示を終了させた後、プログラム（画像供給プログラムＰＰ）を終了させる。
【００６９】
なお、本実施形態では、コンピューター１にプロジェクター２が接続された際に、画像供給プログラムＰＰをプロジェクター２から読み出す構成を示したが、コンピューター１のハードディスクドライブ１７に画像供給プログラムＰＰを事前にインストールしておき、この画像供給プログラムＰＰをユーザーが起動する態様とすることも可能である。また、プロジェクター２との接続を検知する機能を画像供給プログラムＰＰに付加するとともに、ＯＳの起動時等にこの画像供給プログラムＰＰを起動させて常駐させるようにすれば、プロジェクター２が接続された際に、この接続を検知して、図４に示したフローに従ってコンピューター１を動作させることも可能となる。
【００７０】
以上説明したように、本実施形態の画像投写システム１００によれば、以下の効果を得ることができる。
【００７１】
（１）本実施形態の画像投写システム１００によれば、液晶ディスプレー１６に表示される投写開始ボタンＧｓがクリック操作された場合に、プロジェクター２に画像の投写を開始させるため、コンピューター１にプロジェクター２を接続しただけで画像が投写されてしまうことが抑制される。つまり、コンピューター１とプロジェクター２とを接続している状態において、所望のタイミングで画像を投写させることができるため、利便性が向上する。
【００７２】
（２）本実施形態の画像投写システム１００によれば、フレーム画像Ｇｆで指定された範囲の画像がプロジェクター２から投写されるため、指定された範囲の外側については、プロジェクター２から投写されることはない。つまり、液晶ディスプレー１６に表示されている画像の中に、聴衆に見られたくない部位が含まれている場合であっても、その部位を投写対象から外すことができるため、利便性がさらに向上する。
【００７３】
（３）本実施形態の画像投写システム１００によれば、プロジェクター２が画像の投写を開始すると、投写開始ボタンＧｓの代わりに、投写停止ボタンＧｅが液晶ディスプレー１６に表示され、この投写停止ボタンＧｅをクリック操作することによって、画像の投写を停止させることができるため、利便性がさらに向上する。
【００７４】
なお、本実施形態では、ＵＳＢ端子１３ａ及びＵＳＢインターフェイスを内蔵するサウスブリッジ１３が接続部に相当し、ステップＳ１０２で投写開始ボタンＧｓを液晶ディスプレー１６に表示させる際のＣＰＵ１１及びビデオコントローラー１５が、表示制御部に相当する。また、ステップＳ１１０でプロジェクター２に画像情報を出力し、プロジェクター２に画像の投写を開始させる際のＣＰＵ１１が投写制御部に相当し、ステップＳ１０１でフレーム画像Ｇｆを表示させて、ドラッグ操作によって投写範囲を指定させる際のＣＰＵ１１及びビデオコントローラー１５が範囲指定部に相当する。また、投写開始ボタンＧｓが第１の操作部に相当し、投写停止ボタンＧｅが第２の操作部に相当する。また、投写開始ボタンＧｓを表示させるステップＳ１０２が表示ステップに相当し、投写開始ボタンＧｓがクリック操作された場合に画像のキャプチャーと出力とを開始させるステップＳ１０５が投写開始ステップに相当し、フレーム画像Ｇｆを表示させるステップＳ１０１と、フレーム画像Ｇｆに対するドラッグ操作に基づいてフレーム画像Ｇｆ（投写範囲）の位置やサイズを変更するステップＳ１０４とが範囲指定ステップに相当する。
【００７５】
（第２実施形態）
以下、第２実施形態の画像投写システムについて説明する。
図１０は、本実施形態の画像投写システム１００を示す斜視図である。また、図１１は、本実施形態のコンピューター１の概略構成を示すブロック図であり、図１２は、本実施形態のプロジェクター２の概略構成を示すブロック図である。
図１０に示すように、本実施形態の画像投写システム１００では、コンピューター１は、外部のプロジェクター２との間でＵＳＢケーブル３による接続がなされておらず、画像情報を無線通信によって供給するようになっている。
【００７６】
また、図１１に示すように、本実施形態のコンピューター１のサウスブリッジ１３には、外部の装置との間で無線ＬＡＮ（Local Area Network）によるネットワーク通信を行うための無線ＬＡＮデバイス２２が接続されており、コンピューター１は、同じく無線ＬＡＮによるネットワーク通信が可能なプロジェクター２に対して、無線ＬＡＮによって画像情報を供給（送信）する。また、ハードディスクドライブ１７には、プロジェクター２と無線ＬＡＮ接続を行って画像情報等の供給を行うためのアプリケーションプログラム（無線ＬＡＮ接続ツールＣＴ）がインストールされて記憶されている。コンピューター１の上記以外の構成については、前記第１実施形態と共通である。
【００７７】
また、図１２に示すように、本実施形態のプロジェクター２は、前記第１実施形態におけるＵＳＢ通信部５２及び記憶部５４を備えておらず、その代わりに、無線ＬＡＮによるネットワーク通信を行うための無線ＬＡＮ通信部５５を備えている。無線ＬＡＮ通信部５５は、制御部５０の指示に基づいて動作し、コンピューター１から画像情報を受信した場合には、受信した画像情報を画像処理部５３に出力する。無線ＬＡＮ通信部５５が受信した画像情報は、必要に応じて画像処理部５３にて各種処理が施された後、画像投写部４０に出力され、画像投写部４０は、この画像情報に応じた画像を投写する。プロジェクター２の上記以外の構成については、前記第１実施形態と共通である。
【００７８】
次に、画像投写システム１００の動作について説明する。
ＯＳが起動した状態のコンピューター１に対して、ユーザーが無線ＬＡＮ接続ツールＣＴの起動を指示すると、ＣＰＵ１１は、ハードディスクドライブ１７に記憶されている無線ＬＡＮ接続ツールＣＴをＲＡＭ１４に読み出して、このプログラムに従って動作する。
【００７９】
図１３及び図１４は、無線ＬＡＮ接続ツールＣＴに基づくコンピューター１の動作を説明するための説明図であり、液晶ディスプレー１６に表示される画像を示す図である。
無線ＬＡＮ接続ツールＣＴが起動すると、ＣＰＵ１１は、液晶ディスプレー１６の画面１６ａ上にモード選択ウィンドウＧａ（図１３参照）を表示させて無線ＬＡＮのアクセスモードをユーザーに選択させる。
【００８０】
図１３に示すように、モード選択ウィンドウＧａでは、アクセスポイントを介して複数のプロジェクター２と接続が可能な「インフラストラクチャモード」と、アクセスポイントを介さずに１対１で通信を行う「アドホックモード」とが選択可能になっており、ユーザーは、モード選択ウィンドウＧａに備わるラジオボタンＲＢをクリック操作することによっていずれか１つのアクセスモードを選択することができる。
【００８１】
ユーザーによりアクセスモードが選択され、モード選択ウィンドウＧａに備わるＯＫボタンＢＯＫがクリック操作されると、ＣＰＵ１１は、無線ＬＡＮデバイス２２によりブロードキャストを行って、無線ＬＡＮ接続が可能なプロジェクター２を検索する。その後、ＣＰＵ１１は、この検索結果を含んだ接続ウィンドウＧｗ（図１４参照）を液晶ディスプレー１６の画面１６ａ上に表示させる。
【００８２】
図１４に示すように、接続ウィンドウＧｗには、検索されたプロジェクター２のリストＤＬが表示されており、このリストＤＬには、各プロジェクター２のステータス、識別名、ＩＰアドレスが含まれている。またリストＤＬには、検索されたプロジェクター２毎にチェックボックスＣＢが付されており、ユーザーは、このチェックボックスＣＢをクリック操作することによって接続対象とすべきプロジェクター２を指定することができる。なお、アクセスモードにアドホックモードが選択されている場合には、ユーザーは、１台のプロジェクター２のみを指定可能であり、アクセスモードにインフラストラクチャモードが選択されている場合には、ユーザーは、複数台のプロジェクター２を指定することができる。接続ウィンドウＧｗに右下には、接続ボタンＢＣＮが備えられており、ユーザーは、接続すべきプロジェクター２を指定した後で接続ボタンＢＣＮをクリック操作することにより、指定したプロジェクター２との無線ＬＡＮ接続を行うことができる。
【００８３】
ユーザーにより接続ボタンＢＣＮがクリック操作されると、ＣＰＵ１１は、指定されたプロジェクター２との無線ＬＡＮ接続を実行する。具体的には、ＣＰＵ１１は、指定されたプロジェクター２に対して、無線ＬＡＮデバイス２２から接続要求コマンドを送信する。プロジェクター２がこの接続要求コマンドに応答して、接続を許可する接続応答コマンドをコンピューター１に送信すると、コンピューター１の無線ＬＡＮデバイス２２がこれを受信して、コンピューター１とプロジェクター２との無線ＬＡＮ接続が確立し、コンピューター１からプロジェクター２への画像の供給が可能な状態となる。
【００８４】
無線ＬＡＮ接続が確立すると、ＣＰＵ１１は、ビデオコントローラー１５に指示をして、液晶ディスプレー１６の画面１６ａ上から接続ウィンドウＧｗを消去させる。そして、第１実施形態の画像供給プログラムＰＰと同様の機能を有する画像供給ルーチン（図示せず）を呼び出して、図４と同様のフローに従って動作する。
【００８５】
つまり、ＣＰＵ１１は、液晶ディスプレー１６の画面１６ａ上に、フレーム画像Ｇｆ及び投写開始ボタンＧｓを表示させ（ステップＳ１０１，Ｓ１０２）、フレーム画像Ｇｆに対するドラッグ操作がなされた場合には、フレーム画像Ｇｆの位置又はサイズを変更することによって投写範囲を調整する（ステップＳ１０４）。また、投写開始ボタンＧｓがクリック操作された場合には、ＣＰＵ１１は、投写開始ボタンＧｓの代わりに投写停止ボタンＧｅを表示させ（ステップＳ１０８）、その後、フレーム画像Ｇｆの枠内の画像のキャプチャー（ステップＳ１０９）と、この画像のプロジェクター２への出力（送信）（ステップＳ１１０）とを、投写停止ボタンＧｅがクリック操作されるまで繰り返す。つまり、投写開始ボタンＧｓがクリック操作されてから、投写停止ボタンＧｅがクリック操作されるまでの間、コンピューター１からプロジェクター２に対して、無線ＬＡＮによって画像情報が送信され、コンピューター１でキャプチャーされた画像がプロジェクター２から投写される。
【００８６】
そして、投写停止ボタンＧｅがクリック操作された場合には、ＣＰＵ１１は、投写停止ボタンＧｅの代わりに投写開始ボタンＧｓを表示させ（ステップＳ１１２）、フレーム画像Ｇｆに対するドラッグ操作や、投写開始ボタンＧｓのクリック操作を待機する。また、この状態で、フレーム画像Ｇｆの終了ボタンＢＸ１がクリック操作された場合には、ＣＰＵ１１は、画像供給ルーチンを終了させて、プロジェクター２との無線ＬＡＮ接続を切断した後、液晶ディスプレー１６の画面１６ａ上に接続ウィンドウＧｗを再び表示させる。接続ウィンドウＧｗが表示された状態では、ユーザーは、プロジェクター２を指定して接続ボタンＢＣＮをクリック操作することにより、新たな無線ＬＡＮ接続を行うことができる。また、接続ウィンドウＧｗの右上に備わる終了ボタンＢＸ２（図１４参照）がユーザーによりクリック操作された場合には、ＣＰＵ１１は、無線ＬＡＮ接続ツールＣＴを終了させる。
【００８７】
なお、特定のプロジェクター２に対して、特定のアクセスモード（例えば、アドホックモード）で接続することが定まっている場合には、アクセスモードや接続対象のプロジェクター２をユーザーに選択させる必要はない。つまり、無線ＬＡＮ接続ツールＣＴを起動させる操作を行った後には、何の操作もすることなく、フレーム画像Ｇｆと投写開始ボタンＧｓとが表示される状態にすることも可能である。また、この場合において、無線ＬＡＮ接続ツールＣＴの起動直後に投写開始ボタンＧｓを表示させるとともに、プロジェクター２との無線ＬＡＮ接続が確立した後で、投写開始ボタンＧｓの表示状態を変化させるようにしてもよい。例えば、無線ＬＡＮ接続が確立した後に、投写開始ボタンＧｓの色を変えたり、点滅させたりして、投写開始ボタンＧｓを目立たせるようにすれば、無線ＬＡＮ接続が確立して投写開始ボタンＧｓが有効になったこと、即ち投写開始ボタンＧｓをクリック操作できる状態になったことを効果的にユーザーに知らせることが可能となる。
【００８８】
以上説明したように、本実施形態の画像投写システム１００によれば、前記第１実施形態の効果に加えて以下の効果を得ることができる。
【００８９】
（１）本実施形態の画像投写システム１００によれば、コンピューター１とプロジェクター２とが無線ＬＡＮによる無線通信で接続されるため、ケーブルを用いた接続作業が不要となり、利便性がさらに向上する。ここで、無線通信としては、無線ＬＡＮによる態様に限定されず、他の態様の無線通信であってもよい。
【００９０】
なお、本実施形態では、プロジェクター２と無線ＬＡＮ接続を行って無線通信を行う無線ＬＡＮデバイス２２が接続部に相当に相当する。
【００９１】
（変形例）
また、前記実施形態は、以下のように変更してもよい。
【００９２】
上記実施形態では、ユーザーは、コンピューター１とプロジェクター２とを接続する前に、プロジェクター２から投写させる画像Ｇｐを予め液晶ディスプレー１６に表示させているが（図５参照）、画像Ｇｐを表示させる操作を、画像供給プログラムＰＰ（画像供給ルーチン）が起動した後に行うようにしてもよい。ここで、フレーム画像Ｇｆ、投写開始ボタンＧｓ及び投写停止ボタンＧｅを、常に最前面に表示されるようにしておけば、後から画像Ｇｐ等が全画面で表示させられたとしても、フレーム画像Ｇｆや投写開始ボタンＧｓ、投写停止ボタンＧｅが画像Ｇｐ等に隠れてしまうことはない。
【００９３】
上記実施形態では、フレーム画像Ｇｆは、タイトルバーＴＢを備えた枠状の画像（ウィンドウ）になっているが、投写範囲を指定可能なものであれば、フレーム画像Ｇｆの態様は上記に限定されない。例えば、図１５に示すように、半透明の矩形の画像をフレーム画像Ｇｆとすることも可能である。この場合には、フレーム画像Ｇｆの周縁部がドラッグ操作された際に、フレーム画像Ｇｆのサイズを変更し、フレーム画像Ｇｆの周縁部以外がドラッグ操作された際に、フレーム画像Ｇｆを移動させればよい。また、画像供給プログラムＰＰ又は画像供給ルーチンを終了させる際には、フレーム画像Ｇｆ上でのクリック操作等によってコンテキストメニューを表示させ、その中からプログラム（ルーチン）を終了させるための項目を選択できるようにすればよい。
【００９４】
上記実施形態では、画像情報の供給の有無に応じて、投写開始ボタンＧｓと投写停止ボタンＧｅとを交互に表示するようにしているが、投写の開始と停止とをトグルで切り替える１つのボタンを常時表示しておくようにしてもよい。また、投写開始ボタンＧｓと投写停止ボタンＧｅの双方を常時表示させ、画像情報の供給の有無に応じて、有効なボタンを切り替えるようにしてもよい。
【００９５】
上記実施形態では、コンピューター１とプロジェクター２とが、ＵＳＢ（第１実施形態）又は無線ＬＡＮ（第２実施形態）によって接続される態様を示したが、コンピューター１とプロジェクター２との接続は、上記に限定されず、例えば、有線ＬＡＮによって接続する態様とすることもできる。
【００９６】
上記実施形態では、コンピューター１は、フレーム画像Ｇｆで囲まれた範囲の画像をキャプチャーし、この画像の画像情報をプロジェクター２に出力しているが、画面１６ａの全体の画像情報と、フレーム画像Ｇｆで囲まれた範囲を表す範囲情報とをプロジェクター２に出力するようにすれば、プロジェクター２が投写範囲を抽出して投写することも可能となる。
【００９７】
上記実施形態では、投写開始ボタンＧｓがクリック操作された際に、コンピューター１からプロジェクター２への画像情報の供給を開始させ、投写停止ボタンＧｅがクリック操作された際に、画像情報の供給を停止させている。これに対して、プロジェクター２と接続されている間は常にコンピューター１から画像情報を供給させるとともに、投写開始ボタンＧｓ及び投写停止ボタンＧｅがクリック操作されたことをプロジェクター２に通知するようにしてもよい。そして、投写開始ボタンＧｓがクリック操作されてから投写停止ボタンＧｅがクリック操作されるまでの期間については、供給される画像情報に基づく画像をプロジェクター２に投写させ、投写開始ボタンＧｓがクリック操作されるまでの期間と、投写停止ボタンＧｅがクリック操作された後の期間については、基準画像等を投写させるようにしてもよい。
【００９８】
上記実施形態では、フレーム画像Ｇｆの位置やサイズを調整することにより、投写範囲を指定できるようにしているが、投写範囲をユーザーに指定させることなく、液晶ディスプレー１６の画面１６ａに表示される画像全体をプロジェクター２から投写させるようにしてもよい。また、予め定められている特定の範囲を投写範囲として固定するとともに、この投写範囲に合わせて、プロジェクター２に投写させるべき画像Ｇｐを移動させたり、サイズを変えたりするようにしてもよい。また、特定のアプリケーションプログラムが利用している領域（ウィンドウ）を投写範囲にするとともに、このウィンドウの移動やサイズ変更に連動して、投写範囲の移動やサイズ変更を行うようにしてもよい。
【００９９】
上記実施形態において、ステップＳ１０９で画像のキャプチャーを行う際に、投写停止ボタンＧｅがフレーム画像Ｇｆの内側に位置してしまう場合には、投写停止ボタンＧｅを表示していない状態の画像をキャプチャーするようにして、プロジェクター２から投写される画像中に投写停止ボタンＧｅを含めないようにしてもよい。
【０１００】
上記実施形態では、コンピューター１に、２つのポインティングデバイス（内蔵のタッチパッド２１及び外付けのマウス３０）が接続されているが、ポインティングデバイスは１つでもよい。また、上記実施形態では、ポインティングデバイスとしてタッチパッド２１及びマウス３０を用いた例を示したが、トラックボールやジョイスティック、ペンタブレット、タッチパネル等、他のポインティングデバイスを用いることも可能である。
【０１０１】
上記実施形態では、画像供給装置の例として、表示装置としての液晶ディスプレー１６と、入力装置としてのキーボード２０と、入力装置（ポインティングデバイス）としてのタッチパッド２１とを一体的に備えたコンピューター１（ノート型のパーソナルコンピューター）について説明したが、画像供給装置は、ノート型のパーソナルコンピューターに限定されない。例えば、ＰＤＡ（Personal Digital Assistant）等の携帯型情報機器であってもよいし、デスクトップ型のパーソナルコンピューターのように、表示装置、キーボード、ポインティングデバイスの全部又は一部が外付けで接続される構成のコンピューターであってもよい。
【０１０２】
上記実施形態では、ボタン状の画像（投写開始ボタンＧｓ及び投写停止ボタンＧｅ）によって画像の投写開始及び投写停止を指示するようにしているが、他のＧＵＩ部品（例えば、チェックボックスや、ラジオボタン、リストボックス等）を用いて指示する態様にしてもよい。
【符号の説明】
【０１０３】
１…コンピューター、２…プロジェクター、３…ＵＳＢケーブル、１１…ＣＰＵ、１２…ノースブリッジ、１３…サウスブリッジ、１３ａ…ＵＳＢ端子、１４…ＲＡＭ、１５…ビデオコントローラー、１５ａ…ＶＲＡＭ、１６…液晶ディスプレー、１６ａ…画面、１７…ハードディスクドライブ、１８…光ディスクドライブ、１９…ＢＩＯＳ−ＲＯＭ、２０…キーボード、２１…タッチパッド、２２…無線ＬＡＮデバイス、３０…マウス、４０…画像投写部、４１…光源、４１ａ…光源ランプ、４１ｂ…リフレクター、４２Ｒ，４２Ｇ，４２Ｂ…液晶ライトバルブ、４３…投写レンズ、４４…ライトバルブ駆動部、５０…制御部、５１…入力操作部、５２…ＵＳＢ通信部、５２ａ…ＵＳＢ端子、５３…画像処理部、５４…記憶部、５５…無線ＬＡＮ通信部、１００…画像投写システム、ＳＣ…スクリーン、ＰＰ…画像供給プログラム、Ｇｆ…フレーム画像、ＴＢ…タイトルバー、ＢＸ１…終了ボタン、Ｇｓ…投写開始ボタン、Ｇｅ…投写停止ボタン、Ｇｐ…画像、ＰＴ…ポインター、ＣＴ…無線ＬＡＮ接続ツール、Ｇａ…モード選択ウィンドウ、ＲＢ…ラジオボタン、ＢＯＫ…ＯＫボタン、Ｇｗ…接続ウィンドウ、ＣＢ…チェックボックス、ＤＬ…リスト、ＢＣＮ…接続ボタン、ＢＸ２…終了ボタン。
【図１】
2011059292.tif 000003
【図２】
2011059292.tif 000004
【図３】
2011059292.tif 000005
【図４】
2011059292.tif 000006
【図５】
2011059292.tif 000007
【図６】
2011059292.tif 000008
【図７】
2011059292.tif 000009
【図８】
2011059292.tif 000010
【図９】
2011059292.tif 000011
【図１０】
2011059292.tif 000012
【図１１】
2011059292.tif 000013
【図１２】
2011059292.tif 000014
【図１３】
2011059292.tif 000015
【図１４】
2011059292.tif 000016
【図１５】
2011059292.tif 000017